(57)【要約】  【課題】任意の発券機から購入した投票券を任意の払戻窓口で、機械払いと同様の高いセキュリティレベルで払戻しできるようにすることを目的としている。  【解決手段】  公営競技場毎に設置される発券・払戻システムに新たに中継機を置いて、中継機は発券機メーカ固有の投票情報、券面情報、払戻情報、的中情報を標準の投票情報、券面情報、払戻情報、的中情報に相互変換し、従来は公営競技場毎に設置されていた集計装置を標準の投票情報、券面情報、払戻情報、的中情報をインタフェースとする集計装置に統合し、発券機、払戻機は発券機メーカ固有の投票情報、払戻情報を中継機を経由して統合された集計装置に送信すると、統合された集計装置は標準の券面情報、的中情報を中継機を経由して発券機、払戻機に送信する。【選択図】図１
2006323775.tif 000002
【特許請求の範囲】
【請求項１】
各公営競技場で開催される公営競技の投票券情報を一括管理する統合集計プログラムであって、
コンピュータに、
中継機から受信する発券機メーカの識別情報を含む標準の投票情報に基づき、発券機メーカの識別情報を含む標準の券面情報を生成し前記中継機に送信するとともに投票券データベースに格納する発券データ生成ステップと、
中継機から受信する発券機メーカの識別情報を含む標準の券面情報に基づき、的中金額を算出し、発券機メーカの識別情報を含む標準の払戻情報を生成し前記中継機に送信するとともに投票券データベースに格納されている前記券面情報の払戻状況を更新する払戻データ生成ステップと
を実行させる公営競技における統合集計プログラム。
【請求項２】
発券機メーカ固有の投票情報、券面情報、払戻情報、的中情報を標準の投票情報、券面情報、払戻情報、的中情報に相互変換するデータ変換プログラムであって、
発券機から受信した発券機メーカ固有の投票情報を発券機メーカの識別情報を含む標準の投票情報に変換したものを集計装置に送信する、及び払戻機から受信した発券機メーカ固有の払戻情報を発券機メーカの識別情報を含む標準の払戻情報に変換したものを集計装置に送信する標準データ変換ステップと、
前記集計装置から受信する発券機メーカの識別情報を含む標準の券面情報または的中情報を、前記発券機メーカの識別情報に基づき、発券機メーカ固有の券面情報または的中情報に変換したものを発券機または払戻機に送信する固有データ変換ステップと、
を実行させるデータ変換プログラム。
【請求項３】
前記標準データ変換ステップは、更にリーダから受信した発券機メーカ固有の払戻情報を発券機メーカの識別情報を含む標準の払戻情報に変換したものを集計装置に送信し、
集計装置から受信した発券機メーカの識別情報を含む標準の的中情報に基づき、中継機に前記発券機メーカと同一メーカの払戻機が接続されているかどうかを判定し、接続されていない場合には、前記的中情報を表示装置に出力する的中情報表示ステップと
を実行させる請求項２記載のデータ変換プログラム。
【請求項４】
各公営競技場で開催される公営競技の投票券情報を一括管理する集計装置であって、
各公営競技場で開催される公営競技の発券機メーカの識別情報を含む標準の投票券情報を格納したデータベースと、
中継機から受信する発券機メーカの識別情報を含む標準の投票情報に基づき、発券機メーカの識別情報を含む標準の投票券情報を生成し前記中継機に送信するとともに投票券データベースに格納する発券データ生成手段と、
中継機から受信する発券機メーカの識別情報を含む標準の払戻情報に基づき、的中金額を算出し、発券機メーカの識別情報を含む標準の的中情報を生成し前記中継機に送信するとともに投票券データベースの払戻状況を更新する払戻データ生成手段と
を有することを特徴とする公営競技の集計装置。
【請求項５】
公営競技場毎に設置される発券・払戻システムであって、
利用者が入力する投票指示情報に基づき生成した発券機メーカ固有の投票情報を中継機に送信し、中継機から受信する発券機メーカ固有の券面情報に基づき投票券を発券する発券機と、
利用者が入力する投票券に基づき生成した発券機メーカ固有の払戻情報を中継機に送信し、中継機から受信する発券機メーカ固有の的中情報に基づき現金を払い戻す払戻機と、
利用者の入力する投票券に基づき生成した発券機メーカ固有の払戻情報を中継機に送信するリーダと、
前記発券機から受信した発券機メーカ固有の投票情報に基づき発券機メーカの識別情報を含む標準の投票情報に変換したものを集計装置に送信する、及び前記払戻機または前記リーダから受信した発券機メーカ固有の払戻情報を発券機メーカの識別情報を含む標準の払戻情報に変換したものを集計装置に送信する標準データ変換手段と、
前記集計装置から受信する発券機メーカの識別情報を含む標準の券面情報または的中情報を、前記発券機メーカの識別情報に基づき前記発券機メーカ固有の券面情報または的中情報に変換したものを発券機または払戻機に送信する固有データ変換手段と、
前記集計装置から受信した発券機メーカの識別情報を含む標準の的中情報に基づき、中継機に発券機メーカと同一メーカの払戻機が接続されているかどうかを判定し、接続されていない場合には、前記的中情報を表示装置に出力する的中情報表示手段を含む中継機
を有することを特徴とする公営競技の発券・払戻システム。
【発明の詳細な説明】
【技術分野】
【０００１】
本発明は公営競技の投票券の払戻しに関し、特に投票券情報を一括管理することにより任意の発券機から発券された投票券を、任意の払戻窓口で機械払いと同様の高いセキュリティレベルで払戻しを可能とする技術に関するものである。
【背景技術】
【０００２】
図７は、従来の公営競技における一般的な投票券の発券・払戻処理の流れが図示してある。公営競技の投票券は、投票券を発行する発券機を製造するメーカにより印字デザイン、券面を一意に特定する方式が異なるため、投票券ＤＢには互換性がなく例えば異メーカ同士の集計装置Ａ２０と集計装置Ｂ３０間におけるデータ連携は行われていない。このため、的中投票券の払戻しは例えばＡ場２の発券機Ａ２２で購入した投票券Ａ７は、特定場所にある払戻機Ａ２３でのみ機械払いができ、払戻機Ｂ３３のような特定場所以外では機械払いができないため、係員の券面目視による払戻しが行われていた。
【０００３】
前記特定場所とは、発券機メーカと払戻機メーカが同一メーカであること、かつ払戻機が券面を一意に特定する情報を保持する装置（以下、集計装置）に接続されていることが条件となるため、地方公営競技の場合には特に場所が限定される。また、係員の券面目視による払戻しでは、人の判断に基づく作業となるため投票券のセキュリティレベルの低下が否めず、過誤払い・偽造券による払戻しといった業務的な事故も少なくない。その上、機械払いと比較すると窓口での接客時間が長くなり、利用者にとっても利便性の低いものであった。
【０００４】
上記のように発券機から購入した投票券は、特定場所にある払戻機でしか機械払いができない問題に対しては、例えば、公営競技で発行される各種投票券に対する払い戻しを他の競技場で受けることができるようにするために、「それぞれ互いに異なる種別の投票券を投票者へ発行する複数の発券機と、前記投票券の前記種別に応じて複数設けられ、前記投票券に記載された券面情報を読み取り、当該投票券を特定する投票券特定情報を前記投票者が保持する投票券共通記録媒体に記録する特定情報記録機と、複数の前記種別の前記投票券に対応した的中投票券情報を一元管理する相互払戻センタと、前記投票券共通記録媒体から前記投票券特定情報を読み取り、任意の前記種別の前記投票券に対応して当該投票券が的中している場合に払戻金を前記投票者へ支払う払戻機とを有し、前記払戻機は、前記投票券共通記録媒体から読み取った前記投票券特定情報を前記相互払戻センタへ送信し、前記相互払戻センタは、前記払戻機から送信された当該投票券特定情報に基づいて的中判断を行い前記払戻金を前記払戻機へ指示する」投票券払戻システムが開示されている（例えば、特許文献１参照）。
【０００５】
また、係員の券面目視による払戻しをサポートするために、簡単かつ安価に実施でき、投票券のレイアウト変更にも容易に対処できると共に、多数の相互払戻し場の見本券の管理も容易にできる運用上便利な公営競技における相互払戻し照合用見本券の配信表示システムの提供を目的として「公営競技における投票券を、読み取り処理に互換性のない異なる複数の競走場間で相互に払戻しする際に用いる照合用見本券の配信表示システムであって、上記複数の競走場のそれぞれに見本券端末を設置して、それらの見本券端末をネットワークを介して見本券サーバに通信可能に接続し、上記各見本券端末により自場で発券する投票券の見本券イメージを作成して上記見本券サーバに登録し、任意の見本券端末から上記見本券サーバに対して所望の投票券の見本券イメージを要求することにより、上記見本券サーバにおいて対応する見本券イメージを検索して、その検索した見本券イメージを要求元の見本券端末に配信して表示」する技術が開示されている（例えば、特許文献２参照）。
【特許文献１】特開２００２−９２２４２号公報  （第６−７頁）
【特許文献２】特開２００４−３３４４０６号公報  （第５−６頁）
【発明の開示】
【発明が解決しようとする課題】
【０００６】
しかしながら、特許文献１に開示されている技術では、利用者は投票券を購入した競技場と別の競技場で払戻は可能となるが、その際には利用者は発券機で購入した投票券を投票券共通媒体記録装置に読み取らせ、投票券特定情報に変換したものを利用者のＩＣカードに記録させる追加の操作が必要となり、ＩＣカードなどの記録媒体を所持していなければならない。更に、競技場を管理・運営する側にとっても、従来のトータリゼータの他に投票券共通媒体記録装置の導入や、利用者に対してＩＣカードなどの記録媒体の発行が必要となりコスト面でも負担増となるものである。
【０００７】
また、特許文献２に記述された技術は、公営競技における払戻窓口の係員をサポートするために各競走場で使用されている投票券の照合用見本券を提供するシステムである。そのため、払戻窓口の係員が過誤払い・偽造券による払戻しといった業務的な事故を未然に防止できるシステムではなかった。
【０００８】
本発明は上記のような問題点を解決するために、任意の発券機から購入した投票券を任意の払戻窓口で、機械払いと同様の高いセキュリティレベルで払戻しできるようにすることを目的としている。
【課題を解決するための手段】
【０００９】
図１は、本発明の実施例の全体構成図が示してある。本発明の統合集計プログラム１０は、集計装置１として振る舞うコンピュータ上で動作するプログラムであり、発券データ生成手段１１（請求項１における、発券データ生成ステップを実行する。）は、通信ネットワーク４を介して公営競技場内にある中継機（本実施例では、Ａ場２の中継機Ａ２１）から受信した発券機メーカの識別情報を含む標準の投票情報に基づき、発券機メーカの識別情報を含む標準の券面情報を生成し通信ネットワーク４を介して中継機Ａ２１に送信するとともに外部記憶装置５上の投票券ＤＢ５１に格納する。
【００１０】
払戻データ生成手段１２（請求項１における、払戻データ生成ステップを実行する。）は、通信ネットワーク４を介して中継機Ａ２１から受信する発券機メーカの識別情報を含む標準の払戻情報に基づき、的中金額を算出し、発券機メーカの識別情報を含む標準の的中情報を生成し、通信ネットワーク４を介して中継機Ａ２１に送信するとともに投票券ＤＢ５１の払戻状況を更新する。
【００１１】
発券機Ａ２２は、利用者が入力する投票指示情報に基づき生成した発券機メーカ固有の投票情報を中継機に送信し、中継機から受信する発券機メーカ固有の券面情報に基づき投票券を発券し、払戻機Ａ２３は、利用者が入力する投票券に基づき生成した発券機メーカ固有の払戻情報を中継機に送信し、中継機から受信する発券機メーカ固有の的中情報に基づき払戻を行う。
【００１２】
リーダＢ２３２、リーダＣ２３３はそれぞれ発券機メーカＢまたはＣの発券機から発券される投票券を読み込むことが出来るリーダであり、利用者の入力する投票券に基づき生成した発券機メーカ固有の払戻情報を中継機に送信する。
【００１３】
データ変換プログラム２１０は、中継機Ａ２１として振る舞うコンピュータ上で動作するプログラムであり、標準データ変換手段２１１（請求項２における、標準データ変換ステップを実行する。）は、発券機Ａ２２から受信した発券機メーカ固有の投票情報に基づき発券機メーカの識別情報を含む標準の投票情報に変換したものを通信ネットワーク４を介して集計装置１に送信する、及び払戻機Ａ２３、リーダＢ２３２、またはリーダＣ２３３から受信した発券機メーカ固有の払戻情報を発券機メーカの識別情報を含む標準の払戻情報に変換したものを通信ネットワーク４を介して集計装置１に送信する。
【００１４】
固有データ変換手段２１２（請求項２における、固有データ変換ステップを実行する。）は、通信ネットワーク４を介して集計装置１から受信する発券機メーカの識別情報を含む標準の券面情報または的中情報を、発券機メーカの識別情報に基づき発券機メーカ固有の券面情報または的中情報に変換したものを発券機Ａ２２または払戻機Ａ２３に送信する。
【００１５】
以上の構成により、従来は公営競技場毎で管理していた投票券情報を統合し、すべての公営競技場における投票券情報の連携が可能となる。言い換えると、利用者は他の公営競技場で発券された投票券を任意の公営競技場の払戻窓口で払い戻すことが可能となる。
【００１６】
更に、通信ネットワーク４を介して集計装置１から受信した発券機メーカの識別情報を含む標準の的中情報に基づき、中継機Ａ２１に発券機メーカと同一メーカの払戻機が接続されているかどうかを判定し、接続されていない場合には、的中情報を表示装置２４に出力する的中情報表示手段２１３（請求項２における、固有データ変換ステップを実行する。）を備えることにより、従来は払戻窓口の従業員による券面目視による払戻しに対して、払戻機から払い戻す場合と同等の的中情報を表示装置に表示するため機械払いと同様の高いセキュリティレベルで的中金額の受け渡しが可能となる。
【発明の効果】
【００１７】
任意の発券機から購入した投票券を任意の払戻窓口で、機械払いと同様の高いセキュリティレベルで払戻しが可能となる
【発明を実施するための最良の形態】
【００１８】
（実施例）
図１は、実施例の全体構成図が示してある。統合集計プログラム１０は、集計装置１として振る舞うコンピュータ上で動作するプログラムであり、発券データ生成手段１１は、通信ネットワーク４を介して公営競技場内にある中継機（本実施例では、Ａ場２の中継機Ａ２１）から受信した発券機メーカの識別情報を含む標準の投票情報に基づき、発券機メーカの識別情報を含む標準の券面情報を生成し通信ネットワーク４を介して中継機Ａ２１に送信するとともに外部記憶装置５上の投票券ＤＢ５１に格納する。
【００１９】
払戻データ生成手段１２は、通信ネットワーク４を介して中継機Ａ２１から受信する発券機メーカの識別情報を含む標準の券面情報に基づき、的中金額を算出し、発券機メーカの識別情報を含む標準の的中情報を生成し、通信ネットワーク４を介して中継機Ａ２１に送信するとともに投票券ＤＢ５１の払戻状況を更新する。
【００２０】
Ａ場２には、中継機Ａ２１、発券機Ａ２２、払戻機Ａ２３、リーダＢ２３２、リーダＣ２３３、表示装置２４を含む発券・払戻システムが設置されている。
【００２１】
発券機Ａ２２は、利用者が入力する投票指示情報に基づき生成した発券機メーカ固有の投票情報を中継機に送信し、中継機から受信する発券機メーカ固有の券面情報に基づき投票券を発券し、払戻機Ａ２３は、利用者が入力する投票券に基づき生成した発券機メーカ固有の払戻情報を中継機に送信し、中継機から受信する発券機メーカ固有の的中情報に基づき払戻を行う。
【００２２】
リーダＢ２３２、リーダＣ２３３はそれぞれ発券機メーカＢまたはＣの発券機から発券される投票券を読み込むことが出来るリーダであり、利用者の入力する投票券に基づき生成した発券機メーカ固有の払戻情報を中継機に送信し、表示装置２４には機械払いできない的中情報が表示される。払戻機Ａ２３には、発券機メーカＡの発券機から発券される投票券を読み込むことが出来るリーダＡ２３１が組み込まれている。
【００２３】
データ変換プログラム２１０は、中継機Ａ２１として振る舞うコンピュータ上で動作するプログラムであり、標準データ変換手段２１１は、発券機Ａ２２から受信した発券機メーカ固有の投票情報に基づき発券機メーカの識別情報を含む標準の投票情報に変換したものを通信ネットワーク４を介して集計装置１に送信する、及び払戻機Ａ２３、リーダＢ２３２、またはリーダＣ２３３から受信した発券機メーカ固有の払戻情報を発券機メーカの識別情報を含む標準の払戻情報に変換したものを通信ネットワーク４を介して集計装置１に送信する。
【００２４】
固有データ変換手段２１２は、通信ネットワーク４を介して集計装置１から受信する発券機メーカの識別情報を含む標準の券面情報または的中情報を、発券機メーカの識別情報に基づき発券機メーカ固有の券面情報または的中情報に変換したものを発券機Ａ２２または払戻機Ａ２３に送信する。
【００２５】
的中情報表示手段２１３は、通信ネットワーク４を介して集計装置１から受信した発券機メーカの識別情報を含む標準の的中情報に基づき、中継機Ａ２１に発券機メーカと同一メーカの払戻機が接続されているかどうかを判定し、接続されていない場合には、的中情報を表示装置２４に出力する。
【００２６】
図２は、本発明の実施の形態の説明図が示してある。公営競技の場合、発券機メーカ毎に投票券の券面のフォーマットや集計装置に対する投票情報、払戻情報、発券機に対する券面情報、払戻機に対する的中情報のフォーマットが異なっている。そのため、図７で示したように集計装置は場毎に設置する必要が有り、公営競技場間での投票券データの連携や互換性はなく、任意の発券機から発券された投票券を、任意の払戻窓口で機械払いと同様の高いセキュリティレベルで払戻しができなかった。
【００２７】
本発明では、全公営競技場における投票券情報を統合した集計装置で一括管理し、前記問題点の解決を図るものである。先ず、利用者がＡ場２の発券機Ａ２２から投票券Ａ７を購入したと仮定する。図示していないが利用者が投票カードで発券機Ａ２２に投票要求すると、発券機Ａ２２は発券機メーカＡ固有の投票情報を生成し中継機Ａ２１に送信する。中継機Ａ２１は、発券機メーカＡ固有の投票情報を標準の投票情報に変換し、通信ネットワーク４を介して集計装置１に送信する。集計装置１は、標準の券面情報を生成し通信ネットワーク４を介して中継機Ａ２１に送信する。中継機Ａ２１は、標準の券面情報から発券機メーカを特定し、発券機メーカ固有の券面情報に変換し発券機Ａ２２に送信する。発券機Ａ２２は受信した券面情報に基づき投票券Ａ７を発券する。
【００２８】
次に、利用者が投票券Ａ７をＡ場２の払戻機Ａ２３で払戻を行うと仮定する。払戻機Ａ２３が投票券Ａ７を読み込むと、発券機メーカＡ固有の払戻情報を生成し中継機Ａ２１に送信する。中継機Ａ２１は、発券機メーカＡ固有の払戻情報を標準の払戻情報に変換し、通信ネットワーク４を介して集計装置１に送信する。集計装置１は受信した標準の払戻情報に基づき標準の的中情報を生成し、通信ネットワーク４を介して中継機Ａ２１に送信する。中継機Ａ２１は、標準の的中情報から発券機メーカを特定し、発券機メーカ固有の的中情報に変換し払戻機Ａ２３に送信する。払戻機Ａ２３は受信した的中情報に基づき払戻を行う。
【００２９】
次に、利用者が投票券Ａ７をＢ場３で払戻を行うと仮定する。Ｂ場３には、発券機メーカＢの払戻機Ｂ３３しか設置されていないため、発券機メーカＡまたはＣの発券機から発券される投票券を読み込むことが出来るリーダＡ３３１、リーダＣ３３３が従業員のいる払戻窓口に設置されている。投票券Ａ７は発券機メーカＡのフォーマットで作成された投票券であるため利用者はリーダＡ３３１で読み込ますと、リーダＡ３３１は発券機メーカＡ固有の払戻情報を生成し中継機Ｂ３１に送信する。中継機Ｂ３１は、発券機メーカＡ固有の払戻情報を標準の払戻情報に変換し、通信ネットワーク４を介して集計装置１に送信する。集計装置１は受信した標準の払戻情報に基づき標準の的中情報を生成し、通信ネットワーク４を介して中継機Ｂ３１に送信する。中継機Ｂ３１は、標準の的中情報から発券機メーカを特定し、発券機メーカに対応する払戻機Ａが接続されていないことを判定し、従業員のいる払戻窓口に設置されている表示装置に的中情報を表示する。
【００３０】
以上のように、投票券情報を一括管理することにより任意の発券機から発券された投票券を、任意の払戻窓口で機械払いと同様の高いセキュリティレベルで払戻しが可能となる。
【００３１】
図３は、投票券ＤＢ、投票・券面・払戻・的中情報例が概ね図２で示した処理の流れに沿って示してある。５１は投票券ＤＢのデータ形式例であり、開催場、年次、回次、日次、開催年、開催月、開催日、発売場所、メーカコード、レース番号、賭式、組番、票数、払戻状況、偽造防止情報が格納される。メーカコードとは、発券機メーカを識別するコードである。
【００３２】
５０１は発券機メーカＡ固有投票情報であり、開催場、年次、回次、日次、開催年月日、発売場所、レース番号、賭式、組番、金額で構成される。５０２は発券機メーカＡ固有券面情報であり、開催場、年次、回次、日次、開催年月日、発売場所、レース番号、賭式、組番、金額、偽造防止情報で構成される。なお、金額は、利用者が購入した金額を中継機で１票数＝１００円で票数に変換される。５０３、５０７は発券機メーカＡ固有払戻情報であり、開催場、年次、回次、日次、開催年月日、発売場所、レース番号、賭式、組番、金額、偽造防止情報で構成される。５０４は発券機メーカＡ固有的中情報であり、開催場、年次、回次、日次、開催年月日、発売場所、レース番号、賭式、的中組番、的中金額で構成される。
【００３３】
５０５は発券機メーカＢ固有投票情報であり、開催年、開催月、開催日、開催場、年次、回次、日次、発売場所、レース番号、賭式、組番、票数で構成される。５０６は発券機メーカＢ固有券面情報であり、開催年、開催月、開催日、開催場、年次、回次、日次、発売場所、レース番号、賭式、組番、票数、偽造防止情報で構成される。
【００３４】
５１１、５１５は標準投票情報であり、開催場、年次、回次、日次、開催年、開催月、開催日、発売場所、メーカコード、レース番号、賭式、組番、票数で構成される。５１２、５１６は標準券面情報であり、開催場、年次、回次、日次、開催年、開催月、開催日、発売場所、メーカコード、レース番号、賭式、組番、票数、偽造防止情報で構成される。５１３、５１７は標準払戻情報であり、開催場、年次、回次、日次、開催年、開催月、開催日、発売場所、メーカコード、レース番号、賭式、組番、票数、偽造防止情報で構成される。５１４、５１８は標準的中情報であり、開催場、年次、回次、日次、開催年、開催月、開催日、発売場所、メーカコード、レース番号、賭式、的中組番、的中金額で構成される。
【００３５】
図４は、本発明に係るＡ場における発券処理の流れを示すフローチャートである。Ａ場において、発券機Ａ２２に利用者が投票カードを挿入すると、発券機Ａ２２は投票カードを読取り（Ｓ４０１）、発券機メーカＡ固有投票情報を生成し（Ｓ４０２）、中継機Ａ２１に送信する（Ｓ４０３）。中継機Ａ２１は発券機メーカＡ固有投票情報を受信すると（Ｓ４０４）、発券機メーカＡ固有投票情報を発券機メーカの識別情報を含む標準投票情報に変換し（Ｓ４０５）、通信ネットワーク４を介して集計装置１に送信する（Ｓ４０６）。
【００３６】
集計装置１は標準投票情報を受信すると（Ｓ４０７）、投票券偽造防止情報を生成（従来からの処理であり、本発明の特徴的な部分ではないため詳細については省略する）し（Ｓ４０８）、標準券面情報を生成する（Ｓ４０９）。生成した標準券面情報は投票券ＤＢ５１に格納する（Ｓ４１０）とともに、通信ネットワーク４を介して中継機Ａ２１に送信する（Ｓ４１１）。
【００３７】
中継機Ａ２１は、標準券面情報を受信すると（Ｓ４１２）、標準券面情報内のメーカコードから発券機メーカＡを特定し、発券機メーカＡ固有の券面情報に変換し（Ｓ４１３）、発券機メーカＡ固有の券面情報を発券機Ａ２２に送信する（Ｓ４１４）。
【００３８】
発券機Ａ２２は、発券機メーカＡ固有の券面情報を受信すると（Ｓ４１５）、発券機メーカＡ固有の投票券を印刷し（Ｓ４１６）、発券する（Ｓ４１７）。
【００３９】
図５は、本発明に係るＡ場における払戻処理の流れを示すフローチャートである。利用者が払戻機Ａ２３に投票券Ａを挿入すると、払戻機Ａ２３は投票券Ａを読込み（Ｓ５０１）、投票券Ａに基づき発券機メーカＡ固有払戻情報を生成し（Ｓ５０２）、中継機Ａ２１に送信する（Ｓ５０３）。中継機Ａ２１は発券機メーカＡ固有払戻情報を受信すると（Ｓ５０４）、発券機メーカＡ固有払戻情報を発券機メーカの識別情報を含む標準払戻情報に変換し（Ｓ５０５）、通信ネットワーク４を介して集計装置１に送信する（Ｓ５０６）。
【００４０】
集計装置１は標準払戻情報を受信すると（Ｓ５０７）、的中しているかどうか判定（従来からの処理であり、本発明の特徴的な部分ではないため詳細については省略する）し（Ｓ５０８）、的中していない場合には不的中である旨の標準的中情報を作成し（Ｓ５１５）、Ｓ５１６に進む。本実施例では、標準払戻情報の的中金額に０が格納されている場合に不的中であると見做すものとしている。
【００４１】
的中している場合には、投票券ＤＢを検索し（Ｓ５０９）、要求の投票券情報が存在するかどうかを判定する（Ｓ５１０）。存在していない場合にはＳ５１５に進む。存在している場合には、払戻済みであるかどうかを判定する（Ｓ５１１）。払戻済みである場合にはＳ５１５に進む。払戻済みでない場合には、投票券ＤＢに払戻済みである旨更新する（Ｓ５１２）。続いて払戻金を算出（従来からの処理であり、本発明の特徴的な部分ではないため詳細については省略する）し（Ｓ５１３）、標準的中情報を生成した後、標準的中情報を中継機Ａ２１に送信する（Ｓ５１６）。
【００４２】
中継機Ａ２１は、標準的中情報を受信すると（Ｓ５１７）、払戻要求のあった投票券がＡ場２で発券されたものかどうかを標準的中情報内の発売場所を参照して判定する（Ｓ５１８）。Ａ場２以外で発券されたものと判定した場合には、従業員のいる払戻窓口に設置されている表示装置に的中情報を表示する。Ａ場２で発券されたものと判定した場合には、発券機メーカＡ固有の的中情報に変換し（Ｓ５１９）、発券機メーカＡ固有の的中情報を払戻機Ａ２３に送信する（Ｓ５２０）。
【００４３】
払戻機Ａ２３は、発券機メーカＡ固有の的中情報を受信すると（Ｓ５２１）、的中かどうかを判定し（Ｓ５２２）、的中している場合には的中金額を払い戻す（Ｓ５２３）。
【００４４】
図６は、本発明に係るＢ場における払戻処理の流れを示すフローチャートである。利用者がＡ場２で発券した投票券ＡをＢ場で払い戻す場合の例である。なお、本フローチャートでは処理の全体の流れが分かり易いように人手の処理も含めてある。利用者は従業員のいる払戻窓口に投票券Ａを持ち込むと（Ｓ６０１）、従業員は、投票券Ａを受け取り（Ｓ６０２）、投票券Ａを読取可能なリーダＡ３３１に挿入する（Ｓ６０３）。リーダＡ３３１は発券機メーカＡ固有の払戻情報を生成し中継機Ｂ３１に送信する。
【００４５】
中継機Ｂ３１は、発券機メーカＡ固有の払戻情報を受信すると（Ｓ６０４）、標準払戻情報に変換し（Ｓ６０５）、標準払戻情報を集計装置１に送信する（Ｓ６０６）。集計装置１が標準払戻情報を受信すると、図５で説明したＳ５０７からＳ５１６と同じ処理を行う（Ｓ６０７）。
【００４６】
中継機Ｂ３１は集計装置１から標準的中情報を受信すると（Ｓ６０８）、標準的中情報内の発売場所を参照して、払戻要求のあった投票券がＢ場３で発券されたものかどうかを判定し（Ｓ６０９）、Ｂ場で発券されたものであれば払戻機Ｂ３２からの払戻要求であるので発券機メーカＢ固有の的中情報に変換し払戻機Ｂ３２に送信する。ただし、本実施例の場合にはＡ場２で発券された投票券Ａの払戻要求であるため従業員のいる払戻窓口に設置されている表示装置２４に的中情報を表示する（Ｓ６１０）。
【００４７】
払戻窓口の従業員は、表示装置に表示される的中情報を参照し（Ｓ６１１）、的中かどうかを判定し（Ｓ６１２）、的中している場合には的中金額を参照し（Ｓ６１３）、的中金額を利用者に受け渡す（Ｓ６１４）。これにより、利用者は、他の公営競技場で発券した投票券でも払戻窓口に持ち込めば払戻しを受ける事が可能となる（Ｓ６１４）。また、払戻窓口の従業員も機械払いと同様の高いセキュリティレベルで的中金額の受け渡しが可能となる。
【図面の簡単な説明】
【００４８】
【図１】実施例の全体構成図
【図２】本発明の実施の形態の説明図
【図３】投票券ＤＢ、投票・券面・払戻・的中情報例
【図４】Ａ場における発券処理の流れ
【図５】Ａ場における払戻処理の流れ
【図６】Ｂ場における払戻処理の流れ
【図７】従来の投票券の発券・払戻処理の流れ
【符号の説明】
【００４９】
１      集計装置
２      Ａ場
３      Ｂ場
４      通信ネットワーク
５      外部記憶装置
６      投票カードＡ（Ａ場専用）
７      投票券Ａ（Ａ場専用）
８      投票カードＢ（Ｂ場専用）
９      投票券Ｂ（Ｂ場専用）
１０      統合集計プログラム
１１      発券データ生成手段
１２      払戻データ生成手段
２０      集計装置Ａ
２１      中継機Ａ
２２      発券機Ａ
２３      払戻機Ａ
２４      表示装置
３０      集計装置Ｂ
３１      中継機Ｂ
３２      発券機Ｂ
３３      払戻機Ｂ
５１      投票券ＤＢ
２１０      データ変換プログラム
２１１      標準データ変換手段
２１２      固有データ変換手段
２１３      的中情報表示手段
２３１      リーダＡ
２３２      リーダＢ
２３３      リーダＣ
３３１      リーダＡ
３３３      リーダＣ
５０１      発券機メーカＡ固有投票情報
５０２      発券機メーカＡ固有券面情報
５０３      発券機メーカＡ固有払戻情報
５０４      発券機メーカＡ固有的中情報
５０５      発券機メーカＢ固有投票情報
５０６      発券機メーカＢ固有券面情報
５０７      発券機メーカＡ固有払戻情報
５１１      標準投票情報
５１２      標準券面情報
５１３      標準払戻情報
５１４      標準的中情報
５１５      標準投票情報
５１６      標準券面情報
５１７      標準払戻情報
５１８      標準的中情報
【図１】
2006323775.tif 000003
【図２】
2006323775.tif 000004
【図３】
2006323775.tif 000005
【図４】
2006323775.tif 000006
【図５】
2006323775.tif 000007
【図６】
2006323775.tif 000008
【図７】
2006323775.tif 000009